(57)【要約】【課題】ヒューズ本体が高温となった場合であっても、ハウジングの溶損を防止できるヒューズを提供する。【解決手段】本発明に係るヒューズ１００は、定格以上の電流を遮断するヒューズ本体１１０と、ヒューズ本体１１０を収容するハウジング１２０と、ハウジング１２０よりも熱伝導率が高い材料によって形成され、ヒューズ本体１１０で生じる熱をハウジング１２０の外部に放出する放熱部材１３０とを備える。ヒューズ本体１１０は、ヒューズ本体１１０からハウジング１２０の内面に向かって突出する第２弾性係止片１１１Ｄを備える。ハウジング１２０には、第２弾性係止片１１１Ｄが係止されるとともに放熱部材１３０が挿通可能な挿通穴１２１Ｅが形成される。放熱部材１３０は、挿通穴１２１Ｅを挿通して第２弾性係止片１１１Ｄと当接し、少なくとも一部がハウジング１２０の外部で装着部５の端面５Ａよりも高い位置に設けられる。【選択図】図３
2013206806.tif 000002
【特許請求の範囲】
【請求項１】
電気接続箱の装着部に取り付けられるヒューズであって、
前記装着部内に設けられた相手側端子と接続されて定格以上の電流を遮断するヒューズ本体と、
前記ヒューズ本体を収容するハウジングと、
前記ハウジングよりも熱伝導率が高い材料によって形成され、前記ヒューズ本体で生じる熱を前記ハウジングの外部に放出する放熱部材と
を備え、
前記ヒューズ本体は、前記ヒューズ本体から前記ハウジングの内面に向かって突出し、前記ハウジングの内面に係止可能な弾性係止部を備え、
前記ハウジングには、前記弾性係止部が係止されるとともに前記放熱部材が挿通可能な挿通部が形成されており、
前記放熱部材は、前記挿通部を挿通して前記弾性係止部と当接し、少なくとも一部が前記ハウジングの外部において前記装着部の端面よりも高い位置に設けられることを特徴とするヒューズ。
【請求項２】
請求項１に記載のヒューズであって、
前記放熱部材は、
前記放熱部材の前記挿通部への挿入方向に沿って延び、前記挿通部を挿通して前記弾性係止部に当接する当接部と、
前記挿入方向に沿って延び、前記ハウジングの外部に位置する先端部と、
前記挿入方向に直交する方向に沿って延び、前記当接部と前記先端部とを連結する連結部と
を備え、
前記先端部は、前記装着部の端面よりも高い位置に設けられることを特徴とするヒューズ。
【発明の詳細な説明】
【技術分野】
【０００１】
本発明は、ヒューズに関し、特に、車両に搭載されるヒューズに関する。
【背景技術】
【０００２】
従来から、自動車等の車両には、各種電子機器が搭載されており、これらの電子機器に所望の電力を供給するための電力伝送ラインが数多く配索されている。この電力伝送ラインには、各電子機器の電気回路を保護するために、複数のヒューズを抜き出し可能に設けられる電気接続箱（いわゆる、ヒューズボックス）が設けられている。
【０００３】
このような電気接続箱に使用されるヒューズは、導通性のヒューズ本体と、ヒューズ本体を収容する絶縁性のハウジングとを備えている。ヒューズ本体は、箱状をなす一対の端子部と、定格以上の電流（いわゆる、過電流）を溶断する可溶部とを備えており、これらを金属で一体形成されている。一対の端子部は、電気接続箱に設けられた相手側端子と接続するバネ片と、外側に位置してハウジングの内面に係止する係止片とを備えている。可溶部は、端子部同士を連結する可溶導体部と、可溶導体部に装着される低融点金属とを備えている。
【０００４】
このようなヒューズは、ハウジングが電気接続箱の装着部などに装着されることによって、一対の端子部が装着部内の相手側端子と接続される。そして、ヒューズは、可溶部に定格以上の電流（いわゆる、過電流）が通電されると、低融点金属が溶融して、溶融した低融点金属が可溶導体部に拡散して、可溶導体部の融点を低下させる。これにより、可溶導体部の発熱が促進され、可溶導体部が溶断して通電を遮断できる。
【先行技術文献】
【特許文献】
【０００５】
【特許文献１】特開２００４−２８１０７８号公報
【発明の概要】
【発明が解決しようとする課題】
【０００６】
しかしながら、上述した従来のヒューズでは、例えば高定格（１００アンペアや１２０アンペア、１４０アンペア等）の場合、一対の端子部及び可溶部が発熱しやく、ヒューズ本体自体が高温となることが想定される。この場合、ヒューズ本体で生じた高温の熱が各係止片からハウジングの内面へ伝わり、ハウジングが溶損してしまう虞があった。
【０００７】
そこで、本発明は、ヒューズ本体が高温となった場合であっても、ハウジングの溶損を防止できるヒューズの提供を目的とする。
【課題を解決するための手段】
【０００８】
上述した課題を解決するため、本発明は、次のような特徴を有している。まず、本発明の第１の特徴は、電気接続箱（電気接続箱１）の装着部（装着部５）に取り付けられるヒューズ（ヒューズ１００）であって、前記装着部内に設けられた相手側端子（タブ端子７）と接続されて定格以上の電流を遮断するヒューズ本体（ヒューズ本体１１０）と、前記ヒューズ本体を収容するハウジング（ハウジング１２０）と、前記ハウジングよりも熱伝導率が高い材料によって形成され、前記ヒューズ本体で生じる熱を前記ハウジングの外部に放出する放熱部材（放熱部材１３０）とを備え、前記ヒューズ本体は、前記ヒューズ本体から前記ハウジングの内面に向かって突出し、前記ハウジングの内面に係止可能な弾性係止部（第２弾性係止片１１１Ｄ）を備え、前記ハウジングには、前記弾性係止部が係止されるとともに前記放熱部材が挿通可能な挿通部（挿通穴１２１Ｅ）が形成されており、前記放熱部材は、前記挿通部を挿通して前記弾性係止部と当接し、少なくとも一部が前記ハウジングの外部において前記装着部の端面（端面５Ａ）よりも高い位置に設けられることを要旨とする。
【０００９】
かかる特徴によれば、放熱部材は、ハウジングよりも熱伝導率が高い材料によって形成される。また、放熱部材は、挿通部を挿通して弾性係止部と当接し、少なくとも一部がハウジングの外部において装着部の端面よりも高い位置に設けられる。これにより、例えば高定格（１００アンペアや１２０アンペア、１４０アンペア等）の場合であっても、ヒューズ本体で生じた高温の熱が放熱部材を伝導してハウジングの外部に放出される。このため、ハウジングの溶損を防止でき、ヒューズが装着される電気接続箱の装着部の溶損をも防止できる。
【００１０】
本発明の第２の特徴は、本発明の第１の特徴に係るヒューズであって、前記放熱部材は、前記放熱部材の前記挿通部への挿入方向（挿入方向ＩＤ）に沿って延び、前記挿通部を挿通して前記弾性係止部に当接する当接部（当接部１３１）と、前記挿入方向に沿って延び、前記ハウジングの外部に位置する先端部（先端部１３２）と、前記挿入方向に直交する方向に沿って延び、前記当接部と前記先端部とを連結する連結部（連結部１３３）とを備え、前記先端部は、前記装着部の端面よりも高い位置に設けられることを要旨とする。
【００１１】
かかる特徴によれば、放熱部材は、当接部と先端部と連結部とを備える。これにより、放熱部材による放熱可能な面積が増大し、ヒューズ本体で生じた高温の熱を効率的に放出できる。
【００１２】
また、先端部は、装着部の端面よりも高い位置に設けられる。これにより、電気接続箱へのヒューズの着脱時に先端部が把持部（ハンドル）の役目にもなり、電気接続箱へのヒューズの着脱操作が容易となる。
【発明の効果】
【００１３】
本発明の特徴によれば、ヒューズ本体が高温となった場合であっても、ハウジングの溶損を防止できるヒューズを提供することができる。
【図面の簡単な説明】
【００１４】
【図１】図１は、本実施形態に係る電気接続箱及びヒューズを示す分解斜視図である。
【図２】図２は、本実施形態に係る電気接続箱及びヒューズを示す組立斜視図である。
【図３】図３は、本実施形態に係る電気接続箱及びヒューズを示す断面図である。
【図４】図４は、本実施形態に係るヒューズを示す分解斜視図である。
【図５】図５は、本実施形態に係るヒューズ本体を示す正面・側面・平面図である。
【図６】図６は、本実施形態に係るハウジング本体を示す正面・側面・平面図である。
【発明を実施するための形態】
【００１５】
次に、本発明に係るヒューズの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１６】
（電気接続箱の構成）
まず、本発明に係るヒューズ１００が装着される電気接続箱１の構成について、図面を参照しながら説明する。図１は、本実施形態に係る電気接続箱１及びヒューズ１００を示す分解斜視図である。図２は、本実施形態に係る電気接続箱１及びヒューズ１００を示す組立斜視図である。図３は、本実施形態に係る電気接続箱１及びヒューズ１００を示す断面図である。
【００１７】
図１〜図３に示すように、電気接続箱１は、箱状（図面では一部）の箱本体３と、箱本体３内に収容された配線盤（不図示）とを備えている。箱本体３には、上方が開口してヒューズ１００が装着される装着部５と、自動車等の車両に配索されるワイヤハーネスのコネクタが嵌合するコネクタ嵌合部（不図示）とが設けられている。
【００１８】
装着部５は、上方が開口した筒状に形成されており、箱本体３に複数立設されている。装着部５の内部には、配線盤（不図示）のバスバーに設けられた帯板状のタブ端子７（相手側端子）が設けられている。
【００１９】
このような電気接続箱１は、車両に搭載されるバッテリなどの電源と各種電子機器との間に設けられることで、各種電子機器に所望の電力を供給するための電力伝送ライン上に配索されることとなる。
【００２０】
（ヒューズの構成）
次に、上述したヒューズ１００の構成について、図面を参照しながら説明する。図４は、本実施形態に係るヒューズ１００を示す分解斜視図である。図５は、本実施形態に係るヒューズ本体１１０を示す図である。図６は、本実施形態に係るハウジング本体１２１を示す図である。
【００２１】
図１〜図３に示すように、ヒューズ１００は、電気接続箱１の装着部５に差し込まれるタイプのヒューズであり、電源から電子機器への通電を遮断するものである。図３及び図４に示すように、ヒューズ１００は、電気接続箱１の装着部５内に設けられたタブ端子７と接続されて定格以上の電流（いわゆる、過電流）を遮断するヒューズ本体１１０と、ヒューズ本体１１０を収容するハウジング１２０と、ヒューズ本体１１０で生じる熱をハウジング１２０の外部に放出する放熱部材１３０とを備えている。
【００２２】
ヒューズ本体１１０は、図４及び図５に示すように、一対の端子部１１１と、定格以上の電流（いわゆる、過電流）が通電されると溶断する可溶部１１２とを備えており、これらが金属で一体形成されている。
【００２３】
一対の端子部１１１は、互いに並設される箱状の端子本体１１１Ａと、端子本体１１１Ａの内側に設けられたバネ片１１１Ｂと、端子本体１１１Ａの外側に設けられてハウジング１２０の内面に係止する第１弾性係止片１１１Ｃ及び第２弾性係止片１１１Ｄ（弾性係止部）とを備えている。
【００２４】
第１弾性係止片１１１Ｃは、端子本体１１１Ａの底壁から傾斜した状態で立設されている。第２弾性係止片１１１Ｄは、端子本体１１１Ａの底壁から約直角の状態で立設されている。第２弾性係止片１１１Ｄは、各端子本体１１１Ａにおいて上下２つ設けられている。
【００２５】
可溶部１１２は、端子本体１１１Ａ同士を連結する可溶導体部１１２Ａと、可溶導体部１１２Ａに加締め片によって固定される低融点金属１１２Ｂとを備えている。低融点金属１１２Ｂは、可溶導体部１１２Ａよりも融点の低い金属（例えば、錫や錫合金）によって形成されている。
【００２６】
ハウジング１２０は、図４及び図６に示すように、ヒューズ本体１１０を上方の開口部１２１Ａから収容するハウジング本体１２１と、開口部１２１Ａ側からハウジング本体１２１に装着されるハウジングカバー１２２とを備えている。
【００２７】
ハウジング本体１２１は、絶縁性を有する合成樹脂によって形成されており、下側が２方向に分岐した四角筒状に形成されている。ハウジング本体１２１は、一対の端子部１１１を収容する一対の端子収容室１２１Ｂを備えている。各端子収容室１２１Ｂ内には、端子本体１１１Ａの外側に設けられた第１弾性係止片１１１Ｃが係止収容される係止収容溝１２１Ｃが形成されている。
【００２８】
また、ハウジング本体１２１の外壁には、前後面にハウジングカバー１２２が係合する係合突起１２１Ｄと、側面に放熱部材１３０が挿通可能な挿通穴１２１Ｅ（挿通部）とが形成されている。挿通穴１２１Ｅには、第２弾性係止片１１１Ｄが係止されるようになっている。
【００２９】
ハウジングカバー１２２は、可溶部１１２を視認可能なように、透過性の材料（例えば、ポリエーテルスルホン（ＰＥＳ））によって形成されている。ハウジングカバー１２２には、ハウジング本体１２１の係合突起１２１Ｄと係合する係合部１２２Ａが形成されている。
【００３０】
放熱部材１３０は、ハウジング１２０よりも熱伝導率が高い材料（例えば、セラミック）によって形成されている。この放熱部材１３０は、ハウジング本体１２１の挿通穴１２１Ｅを挿通して第２弾性係止片１１１Ｄと当接し、少なくとも一部がハウジング１２０の外部において電気接続箱１の装着部５の端面５Ａ（図〜図３参照）よりも高い位置に設けられる。放熱部材１３０は、当接部１３１と、先端部１３２と、連結部１３３とを備えており、略Ｓ字状に形成されている。
【００３１】
当接部１３１は、放熱部材１３０の挿通穴１２１Ｅへの挿入方向ＩＤに沿って延び、挿通穴１２１Ｅを挿通して第２弾性係止片１１１Ｄに当接する。先端部１３２は、挿入方向ＩＤに沿って延び、ハウジング１２０の外部において電気接続箱１の装着部５の端面５Ａよりも高い位置に設けられる。連結部１３３は、挿入方向ＩＤに直交する方向（上下方向）に沿って延び、当接部１３１と先端部１３２とを連結している。
【００３２】
（ヒューズの組立方法）
次に、上述したヒューズ１００を組み立てる方法について、図３を参照しながら説明する。
【００３３】
まず、一対の端子部１１１と可溶部１１２とを一枚の板金に打ち抜き加工や曲げ加工が施された後、可溶導体部１１２Ａに低融点金属１１２Ｂを加締固定して熱溶着させることによって、ヒューズ本体１１０を組み立てる。
【００３４】
次いで、ハウジング本体１２１内にヒューズ本体１１０を装着する。すると、図３に示すように、ヒューズ本体１１０の第１弾性係止片１１１Ｃは、ハウジング本体１２１の係止収容溝１２１Ｃに係止され、ヒューズ本体１１０の第２弾性係止片１１１Ｄは、ハウジング本体１２１の挿通穴１２１Ｅに係止される（いわゆる、ヒューズ本体１１０が二重係止される）。
【００３５】
次いで、ハウジング本体１２１の開口部１２１Ａ側からハウジングカバー１２２を装着し、ハウジング本体１２１の係合突起１２１Ｄに、ハウジングカバー１２２の係合部１２２Ａを係合する。そして、ハウジング本体１２１の挿通穴１２１Ｅに放熱部材１３０の当接部１３１を圧入固定する。これにより、ハウジング本体１２１とハウジングカバー１２２とが固定されて、ハウジング１２０内にヒューズ本体１１０が収容されることでヒューズ１００が組み立てられる。
【００３６】
ここで、ハウジング本体１２１には、先にハウジングカバー１２２が装着され、その後、放熱部材１３０が取り付けられるるものとして説明したが、必ずしもこの順序である必要はなく、逆の順序であってもよい。
【００３７】
その後、ヒューズ１００が電気接続箱１の装着部５（図１〜図３参照）に装着されると、端子本体１１１Ａ内にタブ端子７が挿入される。このとき、バネ片１１１Ｂは、端子本体１１１Ａ内に挿入されたタブ端子７を端子本体１１１Ａの内面に向かって押圧する。これにより、端子部１１１とタブ端子７が互いに接続される。
【００３８】
このような電気接続箱１に装着されたヒューズ１００は、電源と電子機器とを接続するとともに、可溶部１１２に定格以上の電流（いわゆる、過電流）が通電されると、低融点金属１１２Ｂが溶融して、溶融した低融点金属１１２Ｂが可溶導体部１１２Ａに拡散し、可溶導体部１１２Ａの融点を低下させる。これにより、可溶導体部１１２Ａの発熱が促進され、可溶導体部１１２Ａが溶断し、電源から電子機器への通電が遮断される。
【００３９】
（作用・効果）
以上説明した本実施形態では、放熱部材１３０は、ハウジング１２０よりも熱伝導率が高い材料によって形成される。また、放熱部材１３０は、挿通穴１２１Ｅを挿通して第２弾性係止片１１１Ｄと当接し、少なくとも一部（実施形態では先端部１３２及び連結部１３３の一部）がハウジング１２０の外部において電気接続箱１の装着部５の端面５Ａよりも高い位置に設けられる。これにより、例えば高定格（１００アンペアや１２０アンペア、１４０アンペア等）の場合であっても、ヒューズ本体１１０で生じた高温の熱が放熱部材１３０を伝導してハウジング１２０の外部に放出される。このため、ハウジング１２０の溶損を防止でき、ヒューズ１００が装着される電気接続箱１の装着部５の溶損をも防止できる。
【００４０】
本実施形態では、第２弾性係止片１１１Ｄは、第１弾性係止片１１１Ｃとともにハウジング１２０の内面に係止される。これにより、ヒューズ本体１１０がハウジング１２０の内面に二重係止されるため、ハウジング１２０内でより確実に固定される。
【００４１】
本実施形態では、放熱部材１３０は、当接部１３１と先端部１３２と連結部１３３とを備える。これにより、放熱部材１３０による放熱可能な面積が増大し、ヒューズ本体１１０で生じた高温の熱を効率的に放出できる。
【００４２】
また、先端部１３２は、電気接続箱１の装着部５の端面５Ａよりも高い位置に設けられる。これにより、電気接続箱１へのヒューズ１００の着脱時に先端部１３２が把持部（ハンドル）の役目にもなり、電気接続箱１へのヒューズ１００の着脱操作が容易となる。
【００４３】
実施形態では、放熱部材１３０は、セラミックによって形成される。これにより、安価な材料でヒューズ１００を製造でき、製造コストの低減に寄与する。
【００４４】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００４５】
例えば、本発明の実施形態は、次のように変更することができる。具体的には、放熱部材１３０は、セラミックにより形成されるものとして説明したが、これに限定されるものではなく、ハウジング１２０よりも熱伝導率が高い材料であればよい。
【００４６】
また、放熱部材１３０は、当接部１３１と先端部１３２と連結部１３３とにより略Ｓ字状に形成されるものとして説明したが、これに限定されるものではなく、第２弾性係止片１１１Ｄと当接して少なくとも一部がハウジング１２０の外部において電気接続箱１の装着部５の端面５Ａよりも高い位置に設けられていればよい。例えば、放熱部材１３０は、少なくとも一部が電気接続箱１の装着部５の端面５Ａよりも高い位置に設けられていれば、ハウジング本体１２１の外壁と面一に設けられていてもよい。
【００４７】
また、ハウジング本体１２１とハウジングカバー１２２とは、係合突起１２１Ｄと係合部１２２Ａとの係止によって固定されるものとして説明したが、これに限定されるものではなく、その他のロック機構等によって固定されるものであってもよい。
【００４８】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００４９】
１…電気接続箱
３…箱本体
５…装着部
５Ａ…端面
７…タブ端子（相手側端子）
１００…ヒューズ
１１０…ヒューズ本体
１１１…端子部
１１１Ａ…端子本体
１１１Ｂ…バネ片
１１１Ｃ…第１弾性係止片
１１１Ｄ…第２弾性係止片（弾性係止部）
１１２…可溶部
１１２Ａ…可溶導体部
１１２Ｂ…低融点金属
１２０…ハウジング
１２１…ハウジング本体
１２１Ａ…開口部
１２１Ｂ…端子収容室
１２１Ｃ…係止収容溝
１２１Ｄ…係合突起
１２１Ｅ…挿通穴
１２２…ハウジングカバー
１２２Ａ…係合部
１３０…放熱部材
１３１…当接部
１３２…先端部
１３３…連結部
【図１】
2013206806.tif 000003
【図２】
2013206806.tif 000004
【図３】
2013206806.tif 000005
【図４】
2013206806.tif 000006
【図５】
2013206806.tif 000007
【図６】
2013206806.tif 000008